(57)【要約】【課題】加熱装置単体での使用性を損なうことなく収納家具等に組み込んだときのマッチングが良好な加熱装置を提供する。【解決手段】加熱室３を開閉する扉４と、加熱手段を制御する制御部５と、加熱手段の駆動を制御する操作部６とを備え、操作部６は半透明部材の内側に静電スイッチを設けて構成するとともに半透明部材のタッチによって発光しかつスイッチ操作が受付状態となる構成であり、操作部は通常外部から視認できず収納家具等に組み込んだ時の家具等とのマッチングがよくなるとともに、使用者が半透明部材にタッチすれば操作部が発光してスイッチング操作が受付状態となるから、これまでと同様に使用できる。また、扉の半透明部材の中央上部に取手を設け、ドア開時にはそこに手を入れて引けばドアが開けられ、非使用時には取手部を押し込めば半透明部材と同材料を使用した取手表面が扉の表面材とマッチングし見栄えが良くなる。【選択図】図２
2009275962.tif 000002
【特許請求の範囲】
【請求項１】
加熱室と、前記加熱室内の被加熱物を加熱する加熱手段と、前記加熱室を開閉する扉と、前記加熱手段を制御する制御部と、前記加熱手段の駆動を制御する操作部とを備え、前記操作部は半透明部材の内側に静電スイッチを設けて構成するとともに前記半透明部材の  タッチによって発光しかつスイッチ操作が受付状態となる加熱装置。
【請求項２】
半透明部材に複数のスイッチ操作表示部を設け、このスイッチ操作部に触れることによってスイッチ操作部が発光するとともに静電スイッチが受け付け状態となり、当該スイッチ操作部のタッチによって制御を開始する請求項１に記載の加熱装置。
【請求項３】
加熱室と、前記加熱室内の被加熱物を加熱する加熱手段と、前記加熱室を開閉する扉と、前記加熱手段を制御する制御部と、前記加熱手段の駆動を制御する操作部とを備え、前記操作部は半透明部材の内側に静電スイッチを設けて構成するとともに前記扉の開閉又は扉のハンドルにタッチすることによって発光しかつスイッチ操作が受付状態となる加熱装置。
【請求項４】
加熱室と、前記加熱室内の被加熱物を加熱する加熱手段と、前記加熱室を開閉する扉と、前記加熱手段を制御する制御部と、前記加熱手段の駆動を制御する操作部と、人体検出手段とを備え、前記操作部は半透明部材の内側に静電スイッチを設けて構成するとともに前記人体検出手段が人体を検出すると発光しかつスイッチ操作が受付状態となる加熱装置。
【請求項５】
扉は加熱室内を透視可能な窓部を供え、半透明部材の中央上部には手を入れるための取手部があるとともに、操作部はこの窓部と略同一面とした請求項１〜４のいずれか１項に記載の加熱装置。
【請求項６】
扉窓部及び操作部の半透明部材をハーフミラーで構成したことを特徴とする請求項１〜５のいずれか１項に記載の加熱装置。
【請求項７】
請求項１〜６のいずれか１項に記載の加熱装置を組み込んだ収納家具。
【請求項８】
請求項１〜６のいずれか１項に記載の加熱装置を組み込んだ壁体。
【発明の詳細な説明】
【技術分野】
【０００１】
本発明はヒータやマイクロ波等によって被加熱物を加熱する加熱装置に関し、特に収納家具等に組み込んで使用する場合に好適な加熱装置及びこれを組み込んだ家具、壁体に関する。
【背景技術】
【０００２】
一般にヒータやマイクロ波等によって被加熱物を加熱する加熱装置、例えば高周波加熱装置は装置本体の表面に加熱手段等の操作部が設けてある（例えば、特許文献１参照）。
【０００３】
図１０はこのような従来の高周波加熱装置を示し、装置本体２の前面に加熱室３を取手部４ａにて開閉する扉４とともに加熱手段（図示せず）を操作する操作部６が設けてあり、この操作部６を操作して各種の加熱調理を行うようになっていた。
【特許文献１】特開平１０−１３２２８５号公報
【発明の開示】
【発明が解決しようとする課題】
【０００４】
しかしながら、上記従来の加熱装置はその取手部が飛び出した状態となっており、加熱装置単体で使用するときは問題ないものの、収納家具等に組み込んで使用する場合にはこれを組み込んだ家具とのマッチングが悪いという課題があった。
【０００５】
本発明はこのような課題を解決したもので、装置単体での使用性を損なうことなく収納家具等に組み込んだときのマッチングが良好な加熱装置の提供を目的としたものである。
【課題を解決するための手段】
【０００６】
本発明は上記目的を達成するため、加熱室と、前記加熱室内の被加熱物を加熱する加熱手段と、前記加熱室を開閉する扉と、前記加熱手段を制御する制御部と、前記加熱手段の駆動を制御する操作部とを備え、扉の半透明部材の中央上部に手を入れるための取手を設け、ドア開時にはその部分に手を入れて引けばドアが開けることが出来、使用しないときは取手部を押し込む事により、半透明部材と同材料を使用した取手表面が扉の表面材と  マッチングし見栄えが良くなる構成としてある。
【０００７】
これによって非使用時には取手部は通常外部から視認することができず、収納家具等に組み込んだ時の家具等とのマッチングがよくなるとともに、使用者が使用するときには取手部を押さえ、手を入れるところを露出させることによりドアの開閉が安易にでき、使用性を損なうこともない。
【発明の効果】
【０００８】
本発明によれば、非使用時にはドアハンドル部が視認できず、使用時には従来と同様にドアの開閉が容易にできるから、使用性を損なうことなく装置単独使用時はもちろん、収納家具等に組み込んで使用するときの外観をすっきりとしたものにでき、かつ、非使用時は取手部の余計な出っぱりもなく、家具とのマッチングが良好なものとなる。
【発明を実施するための最良の形態】
【０００９】
第１の発明は、加熱室と、前記加熱室内の被加熱物を加熱する加熱手段と、前記加熱室を開閉する取手部を有した扉と、前記加熱手段を制御する制御部と、前記加熱手段の駆動を制御する操作部とを備え、前記操作部は半透明部材の内側に静電スイッチを設けて構成するとともに前記半透明部材のタッチによって発光しかつスイッチ操作が受付状態となる
構成としてあり、操作部は非使用時には外部から視認することができず、収納家具等に組み込んだ時の家具等とのマッチングがよいものとなるとともに、使用者が使用すべく半透明部材にタッチすれば操作部が発光してスイッチング操作が受け付け状態となるからこれまでの装置と同様に使用でき、使用性を損なうこともない。
【００１０】
第２の発明は、上記第１の発明において、透明部材に複数のスイッチ操作表示部を設け、このスイッチ操作部に触れることによってスイッチ操作部が発光するとともに静電スイッチが受け付け状態となり、当該スイッチ操作部のタッチによって制御を開始する構成としてあり、スイッチ操作部が当該スイッチ操作部を発光させる操作スイッチになるとともに制御部に制御信号を送信するスイッチともなり、構成の簡素化がはかれる。
【００１１】
第３の発明は、加熱室と、前記加熱室内の被加熱物を加熱する加熱手段と、前記加熱室を開閉する扉と、前記加熱手段を制御する制御部と、前記加熱手段の駆動を制御する操作部とを備え、前記操作部は半透明部材の内側に静電スイッチを設けて構成するとともに前記扉の開閉によって発光しかつスイッチ操作が受付状態となる構成としてあり、操作部は非使用時には外部から視認することができず、収納家具等に組み込んだ時の家具等とのマッチングがよいものとなるとともに、使用者が使用すべく扉を開けば操作部が発光してスイッチング操作が受け付け状態となるからこれまでの装置と同様に使用でき、使用性を損なうこともない上に、扉を開かなければ操作部がスイッチ操作の受付状態とならないから誤って操作部に触れてしまって加熱が開始されてしまうという誤動作を未然防止することもできる。
【００１２】
第４の発明は、加熱室と、前記加熱室内の被加熱物を加熱する加熱手段と、前記加熱室を開閉する取手部を有した扉と、前記加熱手段を制御する制御部と、前記加熱手段の駆動を制御する操作部と、人体検出手段とを備え、前記操作部は半透明部材の内側に静電スイッチを設けて構成するとともに前記人体検出手段が人体を検出すると発光しかつスイッチ操作が受付状態となる構成としてあり、操作部は非使用時には外部から視認することができず、収納家具等に組み込んだ時の家具等とのマッチングがよいものとなるとともに、使用者が使用すべく装置本体に近づけばこれを検出して自動的に操作部が発光しスイッチング操作が受け付け状態となるからこれまでの装置と同様に使用でき、使用性を損なうこともない上に、操作部に触れる等の操作を必要とせず、使い勝手のよいものと成る。
【００１３】
第５の発明は、上記１〜４の発明のいずれかにおいて、扉は加熱室内を透視可能な窓部を備え、半透明部材の中央上部には手を入れるための取手部があるとともに、操作部はこの窓部と略同一面とした構成としてあり、扉と操作部が一体的なものに認識されるようになり、家具等に組み込んだときの家具とのマッチングがより一層良好なものとすることができる。
【００１４】
第６の発明は、上記１〜５の発明のいずれかにおいて、扉窓部及び操作部の半透明部材をハーフミラー処理した構成としてあり、家具等に組み込んだときの家具とのマッチングを更に良好なものとすることができる。
【００１５】
第７の発明は、上記１〜６の発明のいずれかの加熱装置を組み込んだ収納家具であり、また、第８の発明は上記１〜６のいずれかの発明の加熱装置を組み込んだ壁体である。
【００１６】
以下、本発明の実施の形態を図面を参照しながら説明する。なお、この実施の形態に  
よって本発明が限定されるものではない。
【００１７】
（実施の形態）
図１は、本実施の形態における加熱装置を収納家具に組み込んだ状態の斜視図、図２は
、同加熱装置の扉を開成した時の斜視図である。
【００１８】
図１および２において、収納家具１に組み込まれた加熱装置２には、ヒータ、高周波あるいはスチーム等の加熱手段（図示せず）によって被加熱物を加熱する加熱室３が設けてある。加熱室３を開閉する扉４は、金属枠に窓部を設けて構成してあり、この窓部は耐熱性ガラス等にスモーク処理を施して構成してあり、扉中央上部には扉を開閉する時の取手部４ａが設けられる。加熱手段を制御する制御部５は装置本体の適所に設けてある。装置本体の扉上方に設けた操作部６は、制御部５を介して加熱手段等を制御するものである。
【００１９】
図３〜５はそれぞれ、本実施の形態における加熱装置の操作部の発光時を示す正面図、同加熱装置の操作部の分解斜視図、同加熱装置の操作部の断面図である。
【００２０】
図３〜５に示されるように、この操作部６は半透明部材７の内側に静電スイッチ８を設けて構成するとともに前記半透明部材７のスイッチ操作表示部９のタッチによって発光しかつスイッチ操作が受付状態となるように構成してある。
【００２１】
すなわち、操作部枠１０内に設けたプリント基板１１には、制御部品とともに各種制御を制御部５に指示する静電スイッチ８が設けてあり、この静電スイッチ８は操作部枠１０に設けた開口１３から前面に臨ませてある。この各静電スイッチ８の前面を覆う如く両面テープ等の接着手段１６を介して操作部枠１０の前面に前記半透明部材７が装着してあり、これはスモーク処理したハーフミラーで構成してある。
【００２２】
スイッチ操作表示部９は、各静電スイッチ８に対応させて半透明部材７に形成したものである。制御部５はこのスイッチ操作表示部９に使用者が触れることによって当該スイッチ操作表示部９の全部を発光させて外部から視認できるようにするとともにスイッチング操作を受け付け状態とするように構成してある。
【００２３】
発光手段１８はＬＥＤ等からなり、スイッチング操作表示部９を発光させて外部から視認できるようにするためのものである。
【００２４】
したがって、この加熱装置の操作部６は、非使用時、前記スイッチ操作表示部９が外部からまったく視認できず、使用者がスイッチ操作表示部９に触れてそれに対応する発光  手段１８が発光することにより始めて当該スイッチ操作表示部９が視認できるようにしてある。
【００２５】
上記構成から明らかなようにこの加熱装置では、操作部６のスイッチ操作表示部９が通常は外部から視認できず、よって加熱装置全体があたかも収納家具１の一部と見える程度にマッチングしたものとなる。
【００２６】
そして使用者がスイッチ操作表示部９の少なくともいずれかひとつに触れると各スイッチ操作表示部９に対応する発光手段１８が発光しスイッチ操作表示部９が操作部６に現れるとともに、これら各スイッチ操作表示部９はスイッチ操作受付状態となる。
【００２７】
これによって使用者は希望する調理を行うべく必要なスイッチ操作表示部９にタッチすればそのスイッチ操作信号が制御部５に送信されて当該スイッチ操作表示部９に割り当てられた制御を行うことになる。
【００２８】
このとき、この実施の形態では、スイッチ操作表示部９が当該スイッチ操作表示部９を発光させるスイッチと同スイッチ操作表示部９に対応する静電スイッチ８のスイッチング操作を受付状態、すなわち、静電スイッチ８からの信号を制御部５に送信可能とするスイ
ッチを兼用する構成としてあるから、構成も簡単なものとすることができ、安価に提供することができるものである。
【００２９】
なお、上記実施の形態では操作部６のスイッチ操作表示部９に触れたときにスイッチ操作表示部９が視認できてスイッチ操作可能な状態になるように構成したが、他の実施の形態（図６（ａ）は斜視図、図６（ｂ）は断面図）に示されるように、扉４の開閉によって作動するスイッチ１９あるいは取手部に設けたタッチスイッチによって行うようにしてもよい。
【００３０】
また、図７（ａ）、（ｂ）はそれぞれ、さらに他の実施の形態における加熱装置の斜視図、同断面図である。図７に示されるように装置本体の適所に組み込んだ赤外線センサー等の人体検知手段２１が人体を検知したときに行うようにしてもよいものである。
【００３１】
さらに、図８は本実施の形態の加熱装置の断面図である。図８に示されるように、加熱室３から排出された熱気は、排気用ファン２２の風により金属で構成された排気ガイド２３内を上部前面に導かれ、扉４と操作部６との間の排気口２４から排気される構成である。
【００３２】
図９（ａ）は本実施の形態の加熱装置における取手部の正面図、図９（ｂ）、（ｃ）は本実施の形態の加熱装置における取手部の側面図である。
【００３３】
図９（ａ）に示されるように、扉は加熱室内３が透視するための窓部を備え、半透明部材の中央上部には手を入れるための取手部４ａがあり、この取手部４ａは取手部４ａの上側を押すと、図９（ｂ）の如く、手を入れるためのハンドルが飛び出す構成としており、ハンドル部に手を入れて開閉をすることができる。
【００３４】
非使用時（図９（ｃ））には取手部の下側を押すと取手部が半透明部材と同一面となることで、操作部、扉部が同一面とした構成となり、家具とのマッチングが良好なものになる。
【産業上の利用可能性】
【００３５】
以上のように本発明は、ヒータやマイクロ波等によって被加熱物を加熱する加熱装置に関し、収納家具等に組み込んで使用する場合に家具、壁体の用途にも適用できる。
【図面の簡単な説明】
【００３６】
【図１】本発明の実施の形態における加熱装置を収納家具に組み込んだ状態の斜視図
【図２】同加熱装置の扉を開成した時の斜視図
【図３】同加熱装置の操作部の発光時を示す正面図
【図４】同加熱装置の操作部の分解斜視図
【図５】同加熱装置の操作部の断面図
【図６】（ａ）他の実施の形態における加熱装置の斜視図、（ｂ）同断面図
【図７】（ａ）さらに他の実施の形態における加熱装置の斜視図、（ｂ）同断面図
【図８】同加熱装置の断面図
【図９】（ａ）同加熱装置の取手部の正面図、（ｂ）同側面図、（ｃ）同側面図
【図１０】従来の加熱装置を示す斜視図
【符号の説明】
【００３７】
１  収納家具
２  加熱装置
３  加熱室
４  扉
４ａ  取手部
５  制御部  
６  操作部
７  半透明部材
８  静電スイッチ
９  スイッチ操作表示部  
１８  発光手段
２２  排気ファン
２３  排気ガイド
２４  排気口
【図１】
2009275962.tif 000003
【図２】
2009275962.tif 000004
【図３】
2009275962.tif 000005
【図４】
2009275962.tif 000006
【図５】
2009275962.tif 000007
【図６】
2009275962.tif 000008
【図７】
2009275962.tif 000009
【図８】
2009275962.tif 000010
【図９】
2009275962.tif 000011
【図１０】
2009275962.tif 000012